(57)【要約】【課題】遊技盤へ簡易に装着される取付具を備えて、本体枠への遊技盤の取り付け作業を効率的に行う。【解決手段】遊技盤１を本体枠２に取り付ける取付構造であって、所定間隔で対向する側壁４１１，４１２を形成した略コ字断面の装着部４１と、本体枠２側の留め具５が係合する係合部４２とを有する取付具４を備える。取付具４は、遊技盤１の外周縁１２にその表裏を両側壁４１１，４１２で挟むように装着される。【選択図】        図３
2004321495.tif 000002
【特許請求の範囲】
【請求項１】
遊技盤を本体枠に取り付ける取付構造であって、所定間隔で対向する側壁を形成した略コ字断面の装着部と、本体枠側の留め具が係合する係合部とを有する取付具を備え、当該取付具を、前記遊技盤の外周縁にその表裏を前記両側壁で挟むように装着したことを特徴とする遊技盤の取付構造。
【請求項２】
前記装着部を、金属板を屈曲成形して構成するとともに、前記係合部を樹脂体で構成して、当該係合部を前記装着部に一体に組み付けた請求項１に記載の遊技盤の取付構造。
【請求項３】
少なくとも前記係合部に前記留め具を挿通する開口を設けて、前記開口の内周面を、前記留め具を所定角度回転させた時に当該留め具の挿通部外周が当接して前記係合部を介して前記遊技盤をその盤面に平行な所定方向へ押圧するような形状に成形した請求項１又は２に記載の遊技盤の取付構造。
【請求項４】
前記本体枠に前記遊技盤の板厚よりも高い突出部を設けるとともに、前記係合部の裏面を前記突出部の端面に当接させて前記遊技盤の前面を基準に位置決めするようにした請求項１ないし３のいずれかに記載の遊技盤の取付構造。
【発明の詳細な説明】
【０００１】
【発明の属する技術分野】
本発明は遊技盤の取付構造に関し、特に、遊技盤を遊技機の本体枠に前面基準で取り付ける等の用途に適した取付構造の改良に関する。
【０００２】
【従来の技術】
特許文献１には遊技盤を遊技機の本体枠に前面基準で取り付けるための取付構造の一例が示されている。本取付構造では本体枠に遊技盤の厚みよりも高い受け部を突出形成し、当該受け部の前端面に、遊技盤に装着した前面基準部材のストッパ面を当接させることにより、遊技盤の前面位置を規制するようにしている。
【特許文献１】特開平１１−４７３８９号
【０００３】
【発明が解決しようとする課題】
しかし、上記従来の取付構造では、ねじ止めによって前面基準部材を遊技盤へ装着しているため、装着に手間を要するという問題があった。
【０００４】
そこで本発明はこのような課題を解決するもので、遊技盤へ簡易に装着される取付具を備えて、本体枠への遊技盤の取り付け作業を効率的に行うことができる遊技盤の取付構造を提供することを目的とする。
【０００５】
【課題を解決するための手段】
上記目的を達成するために、本第１発明では、遊技盤（１）を本体枠（２）に取り付ける取付構造であって、所定間隔で対向する側壁（４１１，４１２）を形成した略コ字断面の装着部（４１）と、本体枠（２）側の留め具（５）が係合する係合部（４２）とを有する取付具（４）を備え、当該取付具（４）を、遊技盤（１）の外周縁（１２）にその表裏を両側壁（４１１，４１２）で挟むように装着する。
【０００６】
本第１発明においては、取付具を遊技盤に装着するのに、取付具に設けた装着部の側壁で遊技盤外周縁の表裏を挟むようにして装着したので、従来のようなねじ止めに比して取付具を遊技盤へ簡易に装着することができる。したがって、取付具と留め具による本体枠への遊技盤の取り付け作業を効率的に行うことができる。
【０００７】
本第２発明では、上記装着部（４１）を、金属板を屈曲成形して構成するとともに、上記係合部（４２）を樹脂体で構成して、当該係合部（４２）を装着部（４１）に一体に組み付ける。本第２発明においては、装着部を、金属板を屈曲成形して構成したから、遊技盤の外周縁を装着部の両側壁で挟む際に、両側壁の弾性力を利用して、脱落することのない、より確実な装着が可能となる。
【０００８】
本第３発明では、少なくとも上記係合部（４２）に上記留め具（５）を挿通する開口（４２６）を設けて、開口（４２６）の内周面（４２６ｂ）を、留め具（５）を所定角度回転させた時に当該留め具（５）の挿通部（５２３）外周が当接して係合部（４２）を介して遊技盤（１）をその盤面に平行な所定方向へ押圧するような形状に成形する。本第３発明においては、本体枠へ遊技盤を取り付けるに際して、遊技盤をその盤面に沿う所定方向へ押圧することによって遊技盤を盤面方向で位置決めすることが可能となる。
【０００９】
本第４発明では、上記本体枠（２）に上記遊技盤（１）の板厚よりも高い突出部（１４）を設けるとともに、係合部（４２）の裏面（４２ａ）を突出部（１４）の端面（１４ａ）に当接させて遊技盤（１）の前面を基準に位置決めするようにする。
【００１０】
なお、上記カッコ内の符号は、後述する実施形態に記載の具体的手段との対応関係を示すものである。
【００１１】
【発明の実施の形態】
図１には遊技盤１を取り付けた状態でのパチンコ遊技機の本体枠２の正面図を示す。なお、遊技盤１の前方を覆うガラス枠や遊技盤１の盤面に設けられる各種開口部、遊技領域の釘、役物等は図示を省略してある。図１において、本体枠２の下端部には、球皿３１や操作ハンドル３２等を備えた前板３が取り付けられ、その上方の本体枠２内に遊技盤１が取り付けられている。遊技盤１は四角形の厚肉板体で、その向かって左側縁１１は、本体枠２の縦枠２１の上下位置に設けられた保持片２２，２３と、各保持片２２，２３の上方に設けた板バネ体２４との間に右方から差し込まれている。板バネ体２４はその前面２４１が縦枠２１の前面に固定され、縦枠２１の内面に沿って屈曲した後、その後面２４２は本体枠２の枠内方向へ屈曲している。これにより、遊技盤１は背後から板バネ２４の後面によって押されてその前面が保持片２３の後面に圧接させられ、これにより、遊技盤１の左側縁１１がその前面を基準に位置決めされている。
【００１２】
遊技盤１の右側縁１２には上下位置に、詳細を以下に説明する取付具４が装着されており、取付具４とこれに係合する留め具５によって上記右側縁１２が本体枠２に取り付けられている。なお、上下の各取付具４および留め具５は同一構造である。図２には上側に位置する取付具４と留め具５の拡大正面図を示し、図３、図４にはそれぞれ図２におけるＩＩＩ−ＩＩＩ線に沿った断面図とＩＶ−ＩＶ線に沿った断面図を示す。
【００１３】
取付具４は装着部４１と係合部４２を備えており、本実施形態では装着部４１は金属板を屈曲成形したものである。すなわち、装着部４１は図５に示すように金属板を略コ字断面に成形して構成されており、所定間隔で対向する側壁４１１，４１２は先端側の半部が円弧状に成形されている。そして、側壁４１１，４１２の壁面には上記先端半部と同心の円形開口４１３，４１４が形成されている。側壁４１１の先端に近い開口４１３縁では一部が側壁４１２側へＬ字形に切り起こされて係止片４１５となっている。また、側壁４１１，４１２を結ぶ底壁４１６には側壁４１１に近い位置に長方形の係止穴４１７が形成されている。
【００１４】
係合部４２はポリアセタール等の摺動性に優れた樹脂材を板状に成形したものであり、その外形は図６に示すように上記装着部４１の側壁４１１の外形と略同一で、矩形状の基端半部とこれに続く円弧状の先端半部からなっている。係合部４２の板面には外周に沿って位置決め壁４２１が突出形成されており、係合部４２の底辺４２２を除く部分では位置決め壁４２１は外周から一定幅だけ内側に後退させて形成されている。位置決め壁４２１は係合部４２の先端部分では途切れており、ここに開口４２３が形成されるとともに、開口４２３内には先端方向へ向けて係合突起４２４が形成されている。また、底辺４２２に沿う位置決め壁４２１には外方へ向けて係合突起４２５が形成されている。
【００１５】
そこで、係合部４２を装着部４１の側壁４１１内面に沿わせ、その開口４２３内に装着部４１の係止片４１５を受け入れて係合突起４２４を係止片４１５に差し込み（図３参照）、この状態で係合部底辺４２２の係合突起４２５を装着部底壁４１６の係止穴４１７内に進入させる。これにより、図７に示すように、係合部４２が側壁４１１に接した状態で側壁４１１の外周に沿って一体に組み付けられる。なお、係合部４２と側壁４１２の対向間隔が遊技盤１の板厚よりやや小さくなるように両側壁４１１，４１２の対向間隔を設定しておくと良い。
【００１６】
係合部４２の板面中心部には、詳細を後述する留め具５を挿通するための開口４２６（図６）が形成されており、係合部４２を装着部４１に組付けた状態で開口４２６は側壁４１１の開口４１３と連通する。開口４２６は係合部４２の幅方向Ｗへ延びる長穴としてあり、その中央部では対向する一方の内周面４２６ａが穴中心Ｏに対して大きく円弧状に後退し、他方の内周面４２６ｂは穴中心Ｏに対して比較的接近して山形に凹陥傾斜している。また、係合部４２の幅方向に位置する外周縁下面にはそれぞれ位置決め突起４２７が形成されている。
【００１７】
遊技盤１の右側縁１２の上下のコーナ部には凹所１３が形成されている（図２に上側コーナ部のものを示す）。当該凹所１３は上記係合部４２の位置決め壁４２１（図６）の外形に沿う形状として水平方向へ形成されている。取付具４は、係合部４２を一体に組み付けた略コ字断面の装着部４１の先端側をやや開くようにして上記凹所１３内に水平方向外方から挿入され、これにより、係合部４２を介在させて装着部４１の両側壁４１１，４１２により遊技盤１の右側縁１２の表裏が弾性的に挟まれて（図３、図４）取付具４が遊技盤１に装着される。この時、係合部４２の外周縁に形成された上記位置決め突起４２７（図６）が、これらに対応させて凹所１３周縁の遊技盤１面に形成された位置決め凹部（図示略）内に進入して取付具４がさらに確実に装着される。
【００１８】
本体枠２の一部には図３、図４に示すように遊技盤１の板厚よりも高く前方へ突出する突出部１４が形成されている。突出部１４は前端閉鎖の円筒状のもので、その内部に留め具５が設置されている。留め具５は基体５１と、基体５１から進出するレバー体５２よりなり、上記基体５１はその外周の爪部５１１（図３）が、突出部１４の基端周壁に形成された係止穴１４１の周縁に係合して突出部１４内に固定されている。レバー体５２は、上記基体５１に回転可能に保持されて突出部１４の前端を貫通して延びる軸部５２１と、軸部５２１の先端にこれと直交するように形成された一定長の操作部５２２とからなる。操作部５２２を図２の鎖線で示すように、取付具４の係合部４２に形成された開口４２６が延びる方向である上下方向へ向けておき、この状態で、遊技盤１の右側縁１２を前方から本体枠２に向けて接近させると、操作部５２２が上記開口４２６を挿通して取付具４の前方へ露出する。
【００１９】
そこで、操作部５２２を上下方向へ向いた状態から９０度回動させて図２〜図４に示すように水平姿勢にすると、この過程で、操作部５２２の裏面が係合部４２の表面に圧接してこれを本体枠２の奥行き方向に向けて押す。これにより、係合部４２の裏面４２ａが突出部１４の端面１４ａに当接して、これにより遊技盤１がその前面を基準にして前後方向で位置決めされる。同時にこの過程で、軸部５２１の外周の径方向対称位置に形成された押圧突起５２３（図３）が係合部４２の開口４２６の内周面４２６ｂに当接して、係合部４２を介して遊技盤１をその盤面に沿う左方へ押圧する。これにより、遊技盤１の左側縁１１（図１）が保持片２２，２３と板バネ体２４の間に確実に差し込まれて左右方向で位置決めされる。
【００２０】
なお、上記実施形態では取付具の装着部と係合部を別体のもとしたが、両者を樹脂材等で一体成形しても良い。また、係合部は必ずしも装着部内に位置するようにする必要はない。さらに、遊技盤へ装着された取付具の脱落防止を、装着部の両側壁の弾性挟持力によるのに代えて、位置決め突起のみによっても良い。
【００２１】
【発明の効果】
以上のように、本発明の遊技盤の取付構造によれば、遊技盤の表裏を挟むようにこれに装着される取付具を備えたことにより、本体枠への遊技盤の取り付け作業を効率的に行うことができる。
【図面の簡単な説明】
【図１】本発明の一実施形態を示す、遊技盤を取り付けた状態でのパチンコ遊技機の本体枠の正面図である。
【図２】図１のＡ部の拡大正面図である。
【図３】図２のＩＩＩ−ＩＩＩ線に沿った水平断面図である。
【図４】図２のＩＶ−ＩＶ線に沿った垂直断面図である。
【図５】装着部の斜視図である。
【図６】係合部の斜視図である。
【図７】係合部と装着部を備えた取付具の斜視図である。
【符号の説明】
１…遊技盤、１２…右側縁、１４…突出部、１４ａ…端面、２…本体枠、４…取付具、４１…装着部、４１１，４１２…側壁、４２…係合部、４２ａ…裏面、４２６…開口、４２６ａ、４２６ｂ…内周面、５…留め具、５２１…軸部。
【図１】
2004321495.tif 000003
【図２】
2004321495.tif 000004
【図３】
2004321495.tif 000005
【図４】
2004321495.tif 000006
【図５】
2004321495.tif 000007
【図６】
2004321495.tif 000008
【図７】
2004321495.tif 000009